(57)【特許請求の範囲】
【請求項１】
用紙に画像を形成する画像形成装置と、前記画像形成装置を梱包する梱包手段と、を含む梱包済画像形成装置であって、
前記画像形成装置は、
外部電源に接続された電源ケーブルが着脱可能に接続される電源接続部と、
前記電源接続部に接続された前記電源ケーブルを介して前記外部電源から供給される電圧を受電して電源電圧を生成する電源電圧生成部と、
前記電源電圧が供給されることにより動作する負荷回路と、
前記負荷回路が正常か否かを判定する状態判定部と、
前記梱包済画像形成装置の外部に設けられた外部装置へ前記状態判定部の判定結果を送信する通信インターフェイス部と、
を備え、
前記梱包手段は、前記画像形成装置を梱包した状態で、前記電源接続部に前記電源ケーブルを接続可能にするアクセス部を含む梱包済画像形成装置。
【請求項２】
前記負荷回路は、
前記電源電圧が供給されることにより、前記電源電圧に応じた負荷電圧を出力し、
前記画像形成装置は、
前記電源電圧生成部によって生成された前記電源電圧を前記負荷回路に供給する給電端子と前記負荷回路から出力される前記負荷電圧を受電する受電端子とを備え、前記負荷回路が着脱可能に接続されるコネクターと、
前記受電端子によって受電された前記負荷電圧を検出する電圧検出部と、
を更に備え、
前記状態判定部は、
前記負荷回路に対して前記電源電圧が供給されている場合に、前記電圧検出部によって検出された負荷電圧に基づいて、前記負荷回路が前記コネクターに正常に接続されているか否かを判定する請求項１に記載の梱包済画像形成装置。
【請求項３】
前記画像形成装置は、複数の前記負荷回路と、前記複数の負荷回路のそれぞれが着脱可能に接続される複数の前記コネクターと、を備え、
前記画像形成装置は、前記複数の負荷回路に対応する複数の負荷電圧のうちの１つを選択する選択部を更に備え、
前記電圧検出部は、前記選択部によって選択された負荷電圧を検出し、
前記状態判定部は、前記選択部によって前記複数の負荷電圧を順次選択させ、順次選択された負荷電圧を前記電圧検出部によって順次検出させ、順次検出された負荷電圧に基づいて、前記順次検出された負荷電圧に対応する負荷回路がその負荷回路に対応する前記コネクターに正常に接続されているか否かを順次判定する請求項１又は２に記載の梱包済画像形成装置。
【請求項４】
前記画像形成装置は、前記コネクターの前記受電端子と前記グランドとの間を通電させるか否かを切り替えるスイッチ部を更に備え、
前記状態判定部は、前記スイッチ部によって前記受電端子と前記グランドとの間を通電させないように切り替えさせた状態で、前記電圧検出部によって検出された負荷電圧の電圧値が予め設定された判定電圧値を超えるときに、前記負荷回路が前記コネクターに正常に接続されていると判定する請求項１から３の何れか一項に記載の梱包済画像形成装置。
【請求項５】
前記負荷回路は、前記画像形成装置内の温度を検出する温度検出部を含み、
前記温度検出部は、前記電源電圧に基づいて前記検出した温度に応じて前記負荷電圧を予め設定された温度範囲内で変化させ、
前記状態判定部は、前記電圧検出部によって検出された負荷電圧が前記温度範囲内に対応する電圧のときに、前記負荷回路が前記コネクターに正常に接続されていると判定する請求項１から４の何れか一項に記載の梱包済画像形成装置。
【請求項６】
前記画像形成装置は、情報を読み書き可能なメモリーを更に備え、
前記状態判定部は、更に、前記メモリーに所定の照合用情報を書き込んだ後、前記メモリーから読み出した情報が前記照合用情報に一致するか否かによって、前記メモリーが正常であるか否かを判定する請求項１から５の何れか一項に記載の梱包済画像形成装置。
【請求項７】
前記メモリーは、予め定められた連続する複数の記憶領域からなり、
前記状態判定部は、前記複数の記憶領域のうちの先頭の記憶領域に第１の照合用情報を書き込んだ後、前記先頭の記憶領域から読み出した情報が前記第１の照合用情報に一致し、且つ、前記複数の記憶領域のうちの終端の記憶領域に第２の照合用情報を書き込んだ後、前記終端の記憶領域から読み出した情報が前記第２の照合用情報に一致する場合に、前記メモリーが正常であると判定する請求項６に記載の梱包済画像形成装置。
【請求項８】
請求項１から７の何れか一項に記載の梱包済画像形成装置と、前記外部装置と、を含む被梱包装置診断システムであって、
前記外部装置は、
情報を表示する表示部と、
前記通信インターフェイス部によって送信された前記状態判定部の判定結果を受信する信号受信部と、
前記信号受信部によって受信された前記状態判定部の判定結果に応じた情報を前記表示部に表示させる判定結果表示部と、
を備える被梱包装置診断システム。
【発明の詳細な説明】
【技術分野】
【０００１】
本発明は、梱包済画像形成装置及び当該梱包済画像形成装置を含む被梱包装置診断システムに関し、特に、画像形成装置の正常確認を行う技術に関する。
【背景技術】
【０００２】
例えばプリンター等の画像形成装置の製品は、仕様を満足する動作確認の検査が終了した後、ダンボール等の梱包手段によって梱包された状態で納品される。そして、納品先では、画像形成装置が梱包手段から取り出された後、サービスマン等によってセットアップ作業が行われる。
【０００３】
例えば、下記特許文献１には、プロジェクタを梱包する梱包材に、電源ケーブル、コンピュータ接続用ケーブル、及び投影部を露出するための開口部を形成し、この梱包材によってプロジェクタを梱包したままの状態で、開口部を介して各ケーブルをプロジェクタに差し込み、コンピュータ接続用ケーブルに接続された外部コンピュータから、プロジェクタ内のソフトウェア等の情報を書き換える技術が記載されている。そして、梱包材に形成された開口部を介して投影部によって画像を出力させることによって、正常に情報の書き換えが行われたかどうかを確認する技術が記載されている。
【先行技術文献】
【特許文献】
【０００４】
【特許文献１】特開２００６−８１９１号公報
【発明の概要】
【発明が解決しようとする課題】
【０００５】
しかしながら、輸送中の振動や衝撃によって、装置内部のコネクターに接続されていた部品がコネクターから外れたり、ハンダ接続に不良が生じる等、装置内部の回路状態が正常な状態ではなくなっているために、セットアップ作業時に装置が動作しない虞があった。
【０００６】
このような場合、上述の従来技術では、情報が正しく書き換えできなかったのか、装置内部の回路に異常が生じたのを判別することができない。また、上述のプロジェクタであれば、梱包材の投影部に対応する位置に開口部を設けることで動作確認が可能であるが、原稿や用紙をセットして操作する必要のある画像形成装置では、梱包状態のまま実際に装置を動作させて動作確認することは困難である。
【０００７】
本発明は、このような事情に鑑みてなされたものであり、画像形成装置の正常確認を梱包状態のまま実施することができる梱包済画像形成装置及び当該梱包済画像形成装置を含む被梱包装置診断システムを提供することを目的とする。
【課題を解決するための手段】
【０００８】
本発明に係る梱包済画像形成装置は、用紙に画像を形成する画像形成装置と、前記画像形成装置を梱包する梱包手段と、を含む梱包済画像形成装置であって、前記画像形成装置は、外部電源に接続された電源ケーブルが着脱可能に接続される電源接続部と、前記電源接続部に接続された前記電源ケーブルを介して前記外部電源から供給される電圧を受電して電源電圧を生成する電源電圧生成部と、前記電源電圧が供給されることにより動作する負荷回路と、前記負荷回路が正常か否かを判定する状態判定部と、前記梱包済画像形成装置の外部に設けられた外部装置へ前記状態判定部の判定結果を送信する通信インターフェイス部と、を備え、前記梱包手段は、前記画像形成装置を梱包した状態で、前記電源接続部に前記電源ケーブルを接続可能にするアクセス部を含む。
【０００９】
この構成によれば、画像形成装置を梱包手段によって梱包した状態で、アクセス部を介して電源ケーブルを電源接続部に接続することができる。そして、電源ケーブルが電源接続部に接続されることによって、電源電圧生成部によって電源電圧が生成され、コネクターを介して負荷回路に電源電圧が供給される。そして、状態判定部によって、負荷回路が正常か否かの判定が行われる。そして、通信インターフェイス部によって、当該判定結果が梱包済画像形成装置の外部に設けられた外部装置に送信される。
【００１０】
このため、画像形成装置を梱包した状態のまま、梱包済画像形成装置の外部に設けられた外部装置において、画像形成装置内部の回路状態が正常か否かの確認を実施することができる。
【００１１】
また、前記負荷回路は、前記電源電圧が供給されることにより、前記電源電圧に応じた負荷電圧を出力し、前記画像形成装置は、前記電源電圧生成部によって生成された前記電源電圧を前記負荷回路に供給する給電端子と前記負荷回路から出力される前記負荷電圧を受電する受電端子とを備え、前記負荷回路が着脱可能に接続されるコネクターと、前記受電端子によって受電された前記負荷電圧を検出する電圧検出部と、を更に備え、前記状態判定部は、前記負荷回路に対して前記電源電圧が供給されている場合に、前記電圧検出部によって検出された負荷電圧に基づいて、前記負荷回路が前記コネクターに正常に接続されているか否かを判定することが好ましい。
【００１２】
この構成によれば、画像形成装置を梱包手段によって梱包した状態で、アクセス部を介して電源ケーブルを電源接続部に接続することができる。そして、電源ケーブルが電源接続部に接続されることによって、電源電圧生成部によって電源電圧が生成され、コネクターを介して負荷回路に電源電圧が供給される。そして、電源電圧が供給されることによって負荷回路から電源電圧に応じた負荷電圧が出力されると、電圧検出部により負荷電圧が検出され、状態判定部によって、当該検出された負荷電圧に基づいて、負荷回路がコネクターに正常に接続されているか否かが判定される。そして、通信インターフェイス部によって、当該判定結果が梱包済画像形成装置の外部に設けられた外部装置に送信される。
【００１３】
このため、画像形成装置を梱包した状態のまま、梱包済画像形成装置の外部に設けられた外部装置において、負荷回路がコネクターに正常に接続されているか否かを確認することができる。つまり、画像形成装置の動作確認を行う前に、画像形成装置を梱包した状態のまま、負荷回路がコネクターに正常に接続されているか否かを事前に確認することができる。これによって、輸送中に負荷回路がコネクターに正常に接続されなくなったときであっても、画像形成装置の動作確認を行う際に、負荷回路をコネクターに接続する作業を早急に実施することができ、動作確認の作業を効率よく実施することができる。
【００１４】
また、前記画像形成装置は、複数の前記負荷回路と、前記複数の負荷回路のそれぞれが着脱可能に接続される複数の前記コネクターと、を備え、前記画像形成装置は、前記複数の負荷回路に対応する複数の負荷電圧のうちの１つを選択する選択部を更に備え、前記電圧検出部は、前記選択部によって選択された負荷電圧を検出し、前記状態判定部は、前記選択部によって前記複数の負荷電圧を順次選択させ、順次選択された負荷電圧を前記電圧検出部によって順次検出させ、順次検出された負荷電圧に基づいて、前記順次検出された負荷電圧に対応する負荷回路がその負荷回路に対応する前記コネクターに正常に接続されているか否かを順次判定することが好ましい。
【００１５】
この構成によれば、画像形成装置を梱包した状態のまま、画像形成装置に備えられた複数の負荷回路が各負荷回路に対応するコネクターに正常に接続されているか否かの判定を、順次１つずつ判定することができる。
【００１６】
また、前記画像形成装置は、前記コネクターの前記受電端子と前記グランドとの間を通電させるか否かを切り替えるスイッチ部を更に備え、前記状態判定部は、前記スイッチ部によって前記受電端子と前記グランドとの間を通電させないように切り替えさせた状態で、前記電圧検出部によって検出された負荷電圧の電圧値が予め設定された判定電圧値を超えるときに、前記負荷回路が前記コネクターに正常に接続されていると判定することが好ましい。
【００１７】
この構成によれば、スイッチ部によって受電端子とグランドとの間が通電しないように切り替えられた状態で、負荷回路がコネクターに正常に接続されているか否かが判定される。したがって、受電端子とグランドとを通電させて負荷回路に電流を流した状態で、負荷回路がコネクターに正常に接続されているか否かを判定する場合に比して、電流が流れることによって負荷回路が発熱する虞を軽減することができ、より安全に負荷回路がコネクターに正常に接続されているか否かを判定することができる。
【００１８】
また、前記負荷回路は、前記画像形成装置内の温度を検出する温度検出部を含み、前記温度検出部は、前記電源電圧に基づいて前記検出した温度に応じて前記負荷電圧を予め設定された温度範囲内で変化させ、前記状態判定部は、前記電圧検出部によって検出された負荷電圧が前記温度範囲内に対応する電圧のときに、前記負荷回路が前記コネクターに正常に接続されていると判定することが好ましい。
【００１９】
この構成によれば、画像形成装置の動作確認を行う前に、画像形成装置を梱包した状態のまま、温度検出部がコネクターに正常に接続されているかを判定することができる。これによって、輸送中に温度検出部が正常にコネクターに接続されなくなったときであっても、画像形成装置の動作確認を行う際に、温度検出部をコネクターに接続する作業を早急に実施することができ、動作確認の作業を効率よく実施することができる。
【００２０】
また、前記画像形成装置は、情報を読み書き可能なメモリーを更に備え、前記状態判定部は、更に、前記メモリーに所定の照合用情報を書き込んだ後、前記メモリーから読み出した情報が前記照合用情報に一致するか否かによって、前記メモリーが正常であるか否かを判定することが好ましい。
【００２１】
この構成によれば、画像形成装置の動作確認を行う前に、画像形成装置を梱包した状態のまま、メモリーが正常であるか否かを事前に確認することができる。これによって、輸送中にメモリーが正常でなくなったときであっても、画像形成装置の動作確認を行う際に、例えば、メモリースロットへのメモリーの取り付けをやり直したり、別のメモリーに交換する等のメモリーを正常に動作させるための作業を早急に実施することができ、動作確認の作業を効率よく実施することができる。
【００２２】
また、前記メモリーは、予め定められた連続する複数の記憶領域からなり、前記状態判定部は、前記複数の記憶領域のうちの先頭の記憶領域に第１の照合用情報を書き込んだ後、前記先頭の記憶領域から読み出した情報が前記第１の照合用情報に一致し、且つ、前記複数の記憶領域のうちの終端の記憶領域に第２の照合用情報を書き込んだ後、前記終端の記憶領域から読み出した情報が前記第２の照合用情報に一致する場合に、前記メモリーが正常であると判定することが好ましい。
【００２３】
この構成によれば、メモリーにおける２つの記憶領域に、それぞれ、書き込み及び読み出しの２回のアクセスを行うことによって、つまり、メモリーに４回アクセスすることによって、メモリーが正常であるか否かが判定される。このため、メモリーを構成する予め定められた連続する複数の記憶領域の全てに、所定の照合用情報をそれぞれ書き込んだ後、書き込んだ照合用情報に一致する情報をそれぞれ読み出せたか否かによって、メモリーが正常であるか否かを判定する場合に比して、メモリーにアクセスする回数が少ないため、メモリーが正常であるか否かをより早く判定することができる。
【００２４】
また、本発明に係る被梱包装置診断システムは、前記梱包済画像形成装置と、前記外部装置と、を含む被梱包装置診断システムであって、前記外部装置は、情報を表示する表示部と、前記通信インターフェイス部によって送信された前記状態判定部の判定結果を受信する信号受信部と、前記信号受信部によって受信された前記状態判定部の判定結果に応じた情報を前記表示部に表示させる判定結果表示部と、を備える。
【００２５】
この構成によれば、画像形成装置を梱包した状態のまま、梱包されている画像形成装置内部の負荷回路がコネクターに正常に接続されているか否かの判定結果を、外部装置の表示部に表示された当該判定結果に応じた情報によって容易に把握することができる。
【発明の効果】
【００２６】
本発明によれば、画像形成装置の正常確認を梱包状態のまま実施することができる梱包済画像形成装置及び当該梱包済画像形成装置を含む被梱包装置診断システムを提供することが可能になる。
【図面の簡単な説明】
【００２７】
【図１】本発明に係る画像形成装置の構成の一例を示す概略構成図。
【図２】本発明に係る梱包済画像形成装置の構成の一例を示す概略構成図。
【図３】本発明に係る被梱包装置診断システムの電気的構成の一例を示すブロック図。
【図４】状態判定部による負荷回路が正常か否かを判定する動作の一例を示すフローチャート。
【発明を実施するための形態】
【００２８】
以下、本発明に係る実施形態を図面に基づいて説明する。図１は、本発明に係る画像形成装置の構成の一例を示す概略構成図である。以下、本発明に係る画像形成装置をカラープリンター１に適用した例について説明する。
【００２９】
図１に示すように、カラープリンター１は、用紙貯留部１０と、画像形成部２０と、定着部３０と、排紙部４０と、用紙搬送路５０と、温度センサー（温度検出部）６０と、通信インターフェイス部７０と、制御部８０と、を備えている。これら各部は、装置本体１Ａに内装され、排紙部４０は、装置本体１Ａの頂部に設けられている。
【００３０】
用紙貯留部１０は、用紙Ｐを貯留し、制御部８０の制御により用紙Ｐを繰り出して給紙するものである。用紙貯留部１０には、用紙カセット１１が装置本体１Ａに対して挿脱自在に設けられている。用紙カセット１１の上流端（図１に示す例では用紙カセット１１の左上方）には、用紙束から用紙Ｐを１枚ずつ繰り出させるピックアップローラー１２が設けられている。このピックアップローラー１２の駆動によって用紙カセット１１から繰り出された用紙Ｐは、用紙搬送路５０に給紙される。
【００３１】
画像形成部２０は、制御部８０の制御によって、外部のパーソナルコンピューター等から受信した画像データに基づき、用紙貯留部１０に貯留された用紙束から繰り出された用紙Ｐに対して画像の転写処理を施すものである。
【００３２】
画像形成部２０は、トナー像を形成する各色の画像形成ユニット２１Ｙ，２１Ｃ，２１Ｍ，２１Ｋと、この画像形成ユニット２１Ｙ，２１Ｃ，２１Ｍ，２１Ｋで形成されたトナー像を用紙Ｐに転写する転写装置２７と、を備えて構成されている。
【００３３】
画像形成ユニット２１Ｙ，２１Ｃ，２１Ｍ，２１Ｋは、上流側（図１における右側）から下流側へ向けて順次に略水平方向に配設されたイエロー用画像形成ユニット２１Ｙ、シアン用画像形成ユニット２１Ｃ、マゼンダ用画像形成ユニット２１Ｍ、及びブラック用画像形成ユニット２１Ｋの順に配設されている。各画像形成ユニット２１Ｙ，２１Ｃ，２１Ｍ，２１Ｋは、同様の構成である。
【００３４】
各画像形成ユニット２１Ｙ，２１Ｃ，２１Ｍ，２１Ｋは、それぞれ、感光体ドラム（感光体）２２と、帯電器２３と、光走査装置２４と、現像装置２５と、クリーニング装置２６と、を備えている。
【００３５】
感光体ドラム２２は、前後方向（図１の紙面と直交する方向）に延びるドラム軸回りに回転可能に設けられている。帯電器２３、光走査装置２４、現像装置２５及びクリーニング装置２６は、当該感光体ドラム２２の周面に沿うように当該感光体ドラム２２の直下位置から、当該感光体ドラム２２の回転方向である反時計方向に、帯電器２３、光走査装置２４、現像装置２５、クリーニング装置２６の順で配設されている。
【００３６】
感光体ドラム２２は、周面に静電潜像及びこの静電潜像に従ったトナー像を形成させるものである。
【００３７】
帯電器２３は、ドラム軸回り反時計方向に回転している感光体ドラム２２の周面に一様な電荷を形成させるものである。帯電器２３は、例えば、周面が感光体ドラム２２の周面と当接しながら従動回転しつつ当該感光体ドラム２２へ電荷を付与する帯電ローラーを備えて構成されている。
【００３８】
現像装置２５は、感光体ドラム２２の周面にトナーを供給することによって周面の静電潜像が形成された部分にトナーを付着させ、これによって感光体ドラム２２の周面にトナー像を形成するものである。尚、イエロー用画像形成ユニット２１Ｙの現像装置２５には、イエロー（Ｙ）のトナーが収容され、シアン用画像形成ユニット２１Ｃの現像装置２５には、シアン（Ｃ）のトナーが収容され、マゼンダ用画像形成ユニット２１Ｍの現像装置２５には、マゼンダ（Ｍ）のトナーが収容され、そして、ブラック用画像形成ユニット２１Ｋの現像装置２５には、ブラック（Ｋ）のトナーが収容されている。
【００３９】
クリーニング装置２６は、後述する一次転写後の感光体ドラム２２の周面に残留しているトナーを取り除いてクリーニングするためのものである。このクリーニング装置２６によってクリーニングされた感光体ドラム２２の周面は、次の画像形成処理のために再び帯電器２３へ向かうことになる。
【００４０】
光走査装置２４は、画像データに基づき強弱の付与されたレーザー光を回転している感光体ドラム２２の周面に帯電器２３と現像装置２５との間において照射し、当該感光体ドラム２２の周面に静電潜像を形成するものである。
【００４１】
各画像形成ユニット２１Ｙ，２１Ｃ，２１Ｍ，２１Ｋにおける各光走査装置２４は、シアン、マゼンダ及びブラックの各色に対応したレーザー光を、各画像形成ユニット２１Ｙ，２１Ｃ，２１Ｍ，２１Ｋにおける各感光体ドラム２２に照射する。帯電した感光体ドラム２２の周面にレーザー光を照射すると、その照射された部分の電荷がレーザー光の強度に応じて消去され、これによって当該感光体ドラム２２の周面に静電潜像が形成される。
【００４２】
転写装置２７は、感光体ドラム２２の周面に形成されたトナー像を用紙Ｐに転写するための装置であって、中間転写ベルト２７１、一次転写ローラー２７２、駆動ローラー２７３、従動ローラー２７４及び二次転写ローラー２７５を備えている。
【００４３】
中間転写ベルト２７１は、無端状であり、一次転写ローラー２７２、駆動ローラー２７３及び従動ローラー２７４によって各画像形成ユニット２１Ｙ，２１Ｃ，２１Ｍ，２１Ｋの直上位置に張架されており、駆動ローラー２７３の回転駆動力によって時計方向に回転可能となっている。
【００４４】
一次転写ローラー２７２は、各画像形成ユニット２１Ｙ，２１Ｃ，２１Ｍ，２１Ｋの各感光体ドラム２２に対向するようにそれぞれ設けられ、中間転写ベルト２７１を押さえ、感光体ドラム２２から中間転写ベルト２７１が浮き上がるのを防止するように配設されている。また、一次転写ローラー２７２には、転写バイアスが印加されるように構成されている。一次転写ローラー２７２に転写バイアスが印加されると、感光体ドラム２２の周面に形成されたトナー像が、中間転写ベルト２７１に一次転写される。
【００４５】
二次転写ローラー２７５は、中間転写ベルト２７１の外周面において駆動ローラー２７３に対向する位置に配置されている。また、二次転写ローラー２７５には、転写バイアスが印加されるように構成されている。二次転写ローラー２７５に転写バイアスが印加されると、中間転写ベルト２７１に一次転写されたトナー像が用紙Ｐに二次転写される。
【００４６】
また、従動ローラー２７４の紙面右側には、中間転写ベルト用クリーニング装置２７６が設けられており、用紙Ｐにトナー像を二次転写した後に中間転写ベルト２７１の表面に残留しているトナーがこの中間転写ベルト用クリーニング装置２７６によって取り除かれ、これによって清浄化した中間転写ベルト２７１が感光体ドラム２２へ供給される。
【００４７】
定着部３０は、用紙Ｐに二次転写されたトナー像に、加熱による定着処理を施すものであり、ヒートローラー３１と、このヒートローラー３１と対向して周面同士が対向配置された加圧ローラー３２とを備えている。ヒートローラー３１の内部には、電流が流れることによって発熱する通電発熱体が装着されている。二次転写後の用紙Ｐは、ローラー軸回りに時計方向に向けて駆動回転しているヒートローラー３１と、ローラー軸回りに反時計方向に向けて従動回転している加圧ローラー３２との間のニップ部を通過することによって、ヒートローラー３１からの熱を得て定着処理が施される。定着処理の施された用紙Ｐは、用紙搬送路５０によって排紙部４０へ排出される。
【００４８】
排紙部４０は、定着部３０で定着処理の施された用紙Ｐが排紙され、この排紙された用紙Ｐを貯留する。排紙部４０は、装置本体１Ａの頂部が凹没されることによって形成され、この凹没した凹部の底部に排紙された用紙Ｐを受ける排紙トレイ４１が形成されている。
【００４９】
用紙搬送路５０は、制御部８０の制御により、用紙貯留部１０から給紙された用紙Ｐを画像形成部２０及び定着部３０を介して排紙部４０まで搬送するものである。
【００５０】
温度センサー６０は、カラープリンター１内の温度を検出するセンサーである。温度センサー６０は、例えば、温度に応じて抵抗値が変化するサーミスターを備えて構成されている。温度センサー６０は、後述する電源電圧が供給されると、検出する温度に応じてサーミスターの抵抗値を変化させることによって、検出する温度に応じて電圧値が変化する負荷電圧を出力する。
【００５１】
尚、負荷電圧の電圧値が変化する範囲は、例えば試験運転等の実験値に基づいて、温度センサー６０によって検出させる対象の温度の範囲に応じて予め定められ、ＲＯＭ等に記憶されている。
【００５２】
通信インターフェイス部７０は、パーソナルコンピューター等の外部装置にＬＡＮ（Local Area Network）やインターネット等を介して接続され、外部装置との間で例えば画像データ等の種々のデータを送受信する通信インターフェイス回路である。通信インターフェイス部７０は、例えば、１０／１００Ｂａｓｅ−ＴＸ等の通信ケーブルを用いて、有線通信を行うように構成されている。
【００５３】
制御部８０は、用紙貯留部１０、画像形成部２０、定着部３０、用紙搬送路５０、及び温度センサー６０等に接続され、これら各部の動作の制御を司る。制御部８０は、例えば、回路基板上に、ＣＰＵ（Central Processing Unit）、ＣＰＵによって実行される種々のプログラムやその実行に必要なデータ等を予め記憶するＲＯＭ（Read Only Memory）、データを一時的に記憶するための読み書き可能なＲＡＭ（Random Access Memory）及びその周辺回路等を備えて構成されている。
【００５４】
図２は、本発明に係る梱包済画像形成装置の構成の一例を示す概略構成図である。例えば、図２に示すように、梱包済画像形成装置３は、カラープリンター１を、ダンボール等の梱包部材によって構成された梱包箱（梱包手段）２によって梱包することによって構成される。尚、カラープリンター１を梱包する梱包手段は、例えば、カラープリンター１を包装する（ラッピングする）フィルム上の梱包部材であってもよく、その他の梱包部材であってもよい。
【００５５】
梱包箱２には、カラープリンター１を梱包した状態のまま、カラープリンター１に電源ケーブルＣ１を接続するためのアクセス部Ａ１と、カラープリンター１を梱包した状態のまま、カラープリンター１に通信ケーブルＣ２を接続するためのアクセス部Ａ２と、が形成されている。
【００５６】
具体的には、アクセス部Ａ１，Ａ２は、梱包箱２において、梱包箱２によって梱包されている状態のカラープリンター１の電源ケーブル接続部（電源接続部）８１及び通信ケーブル接続部７１に対応する位置に孔を空けることによって形成されている。ただし、アクセス部Ａ１，Ａ２は、これに限らず、開閉自在な扉状に形成し、電源ケーブルＣ１及び通信ケーブルＣ２をカラープリンター１に接続するときにのみ開いた状態にし、電源ケーブルＣ１及び通信ケーブルＣ２をカラープリンター１に接続しないときには閉じた状態にするようにして形成してもよい。或いは、開口部を、取り外し可能な蓋部材で塞ぐ構成であってもよい。
【００５７】
以下では、梱包済画像形成装置３を用いてカラープリンター１内の負荷回路が正常か否かを判定する被梱包装置診断システムについて説明する。図３は、本発明に係る被梱包装置診断システムの電気的構成の一例を示すブロック図である。以下、図１及び図２と同じ符号を付した部分については、特筆しない限り、説明を省略する。
【００５８】
例えば、図３に示すように、被梱包装置診断システム４は、梱包箱２によってカラープリンター１を梱包した梱包済画像形成装置３と、外部装置９と、を含んで構成される。
【００５９】
カラープリンター１内の制御部８０には、電源ケーブル接続部８１と、電源電圧生成部８２と、コネクター８３ａ，８３ｂと、スイッチ部８９と、選択部８４と、電圧検出部８５と、状態判定部８６と、情報を読み書き可能なＲＡＭ（メモリー）８７と、ＲＡＭ８７が着脱可能に接続されるメモリースロット８８と、が備えられている。
【００６０】
電源ケーブル接続部８１は、外部電源Ｅに接続された電源ケーブルＣ１を、梱包箱２のアクセス部Ａ１を介して着脱可能に接続する。
【００６１】
電源電圧生成部８２は、例えばスイッチング電源回路等を備えて構成され、電源ケーブル接続部８１に接続された電源ケーブルＣ１を介して外部電源Ｅから供給される電圧を受電し、受電した電圧を所定の電圧レベルの電圧に変換することによって電源電圧を生成する。電源電圧生成部８２で生成された電源電圧を用いて、制御部８０に備えられた図略のＣＰＵは動作する。
【００６２】
コネクター８３ａは、電源電圧生成部８２によって生成された電源電圧を、定着部３０に供給する給電端子Ｐ１ａと、電源電圧が供給されることにより、定着部３０から出力された電源電圧に応じた負荷電圧を受電する受電端子Ｐ２ａとを備えている。受電端子Ｐ２ａは、例えば、定着部３０のグランド端子に接続されている。具体的には、図３に示すように、受電端子Ｐ２ａは、ヒートローラー３１（図１）の内部に装着された通電発熱体３１ａのグランド側の一端に接続されている。コネクター８３ａには、定着部３０に接続されたコネクター３３が着脱可能に接続される。
【００６３】
同様に、コネクター８３ｂは、電源電圧生成部８２によって生成された電源電圧を、温度センサー６０に供給する給電端子Ｐ１ｂと、電源電圧が供給されることにより、温度センサー６０から出力された電源電圧に応じた負荷電圧を受電する受電端子Ｐ２ｂとを備えている。この場合、負荷電圧は、例えば温度センサー６０の検出温度を示す信号電圧である。具体的には、図３に示すように、受電端子Ｐ２ｂは、温度センサー６０の内部に設けられたサーミスター６１のグランド側の一端に接続されている。コネクター８３ｂには、温度センサー６０に接続されたコネクター６３が着脱可能に接続される。
【００６４】
尚、制御部８０には、更に、用紙貯留部１０や画像形成部２０等のカラープリンター１内部の駆動部がそれぞれ着脱可能に接続される図略の複数のコネクターが備えられている。以下の説明では、この複数のコネクターの中から代表して、２つのコネクター８３ａ，８３ｂの接続状態の判定について説明を行う。
【００６５】
また、定着部３０及び温度センサー６０は、共に、電源電圧生成部８２によって生成された電源電圧が供給されることにより、電源電圧に応じた負荷電圧を出力する負荷回路である。そこで、以下の説明では、定着部３０及び温度センサー６０を総称して説明する場合に、負荷回路と示す。
【００６６】
スイッチ部８９は、後述の状態判定部８６による指示に基づいて、コネクター８３ａの受電端子Ｐ２ａとグランドとの間を通電させるか否かを切り替えるスイッチ回路である。
【００６７】
選択部８４は、例えばセレクター回路によって構成され、コネクター８３ａの受電端子Ｐ２ａによって受電された定着部３０から出力された負荷電圧及びコネクター８３ｂの受電端子Ｐ２ｂによって受電された温度センサー６０から出力された負荷電圧のうち、後述の状態判定部８６によって指示された１つの負荷電圧を選択して、選択した負荷電圧を後述の電圧検出部８５へ出力する。
【００６８】
電圧検出部８５は、選択部８４によって選択された負荷電圧の電圧値を検出し、電圧値を示す検出信号を状態判定部８６に出力する。
【００６９】
状態判定部８６は、例えば、ＲＯＭ等に記憶された制御プログラムがＣＰＵによって実行されることによって、以下に説明する処理を実行する。具体的には、状態判定部８６は、電源電圧生成部８２によって電源電圧が生成された後、ＣＰＵによって制御プログラムが実行されることによって処理を開始し、電源電圧が給電端子Ｐ１ａによって定着部３０に供給されている場合に、電圧検出部８５によって検出された負荷電圧に基づいて、定着部３０がコネクター８３ａに正常に接続されているか否かを判定する。
【００７０】
また、状態判定部８６は、電源電圧生成部８２で生成された電源電圧が給電端子Ｐ１ｂによって温度センサー６０に供給されている場合に、電圧検出部８５によって検出された負荷電圧に基づいて、温度センサー６０がコネクター８３ｂに正常に接続されているか否かを判定する。
【００７１】
図４は、状態判定部８６による負荷回路が正常か否かを判定する動作の一例を示すフローチャートである。
【００７２】
具体的には、図４に示すように、例えばサービスマン等の作業者は、カラープリンター１が梱包箱２に梱包された状態のまま、梱包箱２のアクセス部Ａ２を介して通信ケーブルＣ２を通信ケーブル接続部７１に接続する（ステップＳ１）。また、例えばサービスマン等の作業者は、カラープリンター１が梱包箱２に梱包された状態のまま、梱包箱２のアクセス部Ａ１を介して電源ケーブルＣ１を電源ケーブル接続部８１に接続する。これによって、カラープリンター１が梱包箱２に梱包された状態のまま、電源電圧生成部８２によって電源電圧が生成される（ステップＳ２）。
【００７３】
次に、状態判定部８６は、スイッチ部８９に対し、受電端子Ｐ２ａとグランドとの間を通電させないように切り替える指示を示す制御信号を送出する。当該指示に従って、スイッチ部８９は、受電端子Ｐ２ａとグランドとの間を通電させないように切り替える（ステップＳ３）。つまり、状態判定部８６は、給電端子Ｐ１ａを介して定着部３０に電源電圧を供給したときに、定着部３０に備えられたヒートローラー３１の内部に装着されている通電発熱体３１ａに電流が流れないようにする。これによって、通電発熱体３１ａが発熱する虞を軽減する。
【００７４】
次に、状態判定部８６は、選択部８４に対し、受電端子Ｐ２ａによって受電された定着部３０から出力される負荷電圧及び受電端子Ｐ２ｂによって受電された温度センサー６０から出力される負荷電圧のうちの一つを選択する指示を示す制御信号を送出する。選択部８４は、当該制御信号が示す指示に従って一つの負荷電圧を選択し、選択した負荷電圧を電圧検出部８５へ出力する（ステップＳ４）。
【００７５】
具体的には、状態判定部８６は、ステップＳ４において、選択部８４に対し、受電端子Ｐ２ａによって受電された定着部３０から出力される負荷電圧を選択する指示を示す制御信号を送出する。選択部８４は、当該制御信号が示す指示に従って、受電端子Ｐ２ａによって受電された定着部３０から出力される負荷電圧を選択し、電圧検出部８５へ出力する。
【００７６】
そして、電圧検出部８５は、ステップＳ４で出力された負荷電圧の電圧値を検出して、当該検出した電圧値を示す検出信号を状態判定部８６に出力する（ステップＳ５）。
【００７７】
そして、状態判定部８６は、電圧検出部８５から出力された検出信号によって示される電圧値に基づいて、ステップＳ４において選択された負荷電圧を出力した負荷回路が、当該負荷回路に対応するコネクターに正常に接続されているか否かの判定を行う（ステップＳ６）。そして、状態判定部８６は、ステップＳ６の判定結果を示す制御信号を、通信インターフェイス部７０によって、通信ケーブル接続部７１に接続された通信ケーブルＣ２を介して、通信接続された外部装置９に送信させる（ステップＳ７）。
【００７８】
具体的には、ステップＳ４において定着部３０から出力される負荷電圧が選択された場合には、状態判定部８６は、ステップＳ６において、電圧検出部８５から出力された検出信号によって示される電圧値が予め設定された判定電圧値を超えるか否かによって、定着部３０がコネクター８３ａに正常に接続されているか否かの判定を行う。
【００７９】
尚、判定電圧値は、定着部３０に電源電圧が供給され、且つ、定着部３０が通電状態にない場合における定着部３０の配線等による電圧降下を加味して、電源電圧の電圧値以下の電圧値が予め設定されている。
【００８０】
この場合、状態判定部８６は、電圧検出部８５から出力された検出信号によって示される電圧値が予め設定された判定電圧値を超えたと判定したときには、コネクター８３ａに定着部３０に接続されたコネクター３３が正常に接続されていると判定する。一方、状態判定部８６は、電圧検出部８５から出力された検出信号によって示される電圧値が予め設定された判定電圧値を超えないと判定したときには、コネクター８３ａに定着部３０に接続されたコネクター３３が正常に接続されていないと判定する。
【００８１】
そして、状態判定部８６は、ステップＳ７において、コネクター８３ａに定着部３０に接続されたコネクター３３が正常に接続されているか否かの判定結果を示す制御信号を、通信インターフェイス部７０によって、通信ケーブル接続部７１に接続された通信ケーブルＣ２を介して、通信接続された外部装置９に送信させる。
【００８２】
図４に戻り、状態判定部８６は、ステップＳ４において選択部８４に選択させていない負荷電圧が存在する場合には（Ｓ８；ＹＥＳ）、ステップＳ４に戻り、選択部８４に選択させていない負荷電圧のうちの一つの負荷電圧を選択させる。
【００８３】
具体的には、先に実行したステップＳ４において定着部３０から出力される負荷電圧が選択された場合には、状態判定部８６は、ステップＳ４に戻り、選択部８４に対して、温度センサー６０から出力される負荷電圧を選択する指示を示す制御信号を送出する。当該指示に従って、選択部８４は、受電端子Ｐ２ｂによって受電された温度センサー６０から出力される負荷電圧を選択して、電圧検出部８５へ出力する。
【００８４】
この場合、電圧検出部８５は、ステップＳ５において、温度センサー６０から出力される負荷電圧の電圧値を検出して、当該検出した電圧値を示す検出信号を状態判定部８６に出力する。
【００８５】
そして、状態判定部８６は、ステップＳ６において、電圧検出部８５から出力された検出信号によって示される電圧値が、温度センサー６０から出力される負荷電圧の電圧値が変化する範囲として予め定められた範囲（温度範囲）内にあるときには、コネクター８３ｂに温度センサー６０に接続されたコネクター６３が正常に接続されていると判定する。一方、状態判定部８６は、電圧検出部８５から出力された検出信号によって示される電圧値が、上記の予め定められた範囲内にないときには、コネクター８３ｂに温度センサー６０に接続されたコネクター６３が正常に接続されていないと判定する。
【００８６】
尚、温度センサー６０から出力される負荷電圧の電圧値が変化する範囲は、上記の温度センサー６０の説明で記載したように、例えば試験運転等の実験値に基づいて、温度センサー６０によって検出させる対象の温度の範囲に応じて予め定められ、ＲＯＭ等に記憶されている。
【００８７】
そして、状態判定部８６は、ステップＳ７において、コネクター８３ｂに温度センサー６０に接続されたコネクター６３が正常に接続されているか否かの判定結果を示す制御信号を、通信インターフェイス部７０によって、通信ケーブル接続部７１に接続された通信ケーブルＣ２を介して、通信接続された外部装置９に送信させる。
【００８８】
図４に戻り、状態判定部８６は、ステップＳ４において選択部８４に選択させていない負荷電圧が存在しなくなると（Ｓ８；ＮＯ）、負荷回路がコネクターに正常に接続されているか否かを判定する動作を終了する。
【００８９】
つまり、状態判定部８６は、選択部８４によって複数の負荷電圧を順次選択させ（ステップＳ４、ステップＳ８）、順次選択された負荷電圧を電圧検出部８５によって順次検出させ（ステップＳ５）、順次検出された負荷電圧に基づいて、順次検出された負荷電圧に対応する負荷回路がその負荷回路に対応するコネクターに正常に接続されているか否かを順次判定する（ステップＳ６）ように構成されている。
【００９０】
図３に戻り、外部装置９は、例えば、ＣＰＵ（Central Processing Unit）、ＣＰＵによって実行される種々のプログラムやその実行に必要なデータ等を予め記憶するＲＯＭ（Read Only Memory）やＨＤＤ（Hard Disk Drive）、データを一時的に記憶するための読み書き可能なＲＡＭ（Random Access Memory）、及びその周辺回路等を備えている。具体的には、外部装置９として、例えば、パーソナルコンピューターや携帯電話端末装置等の情報処理装置を用いてもよい。外部装置９は、表示部９１と、信号受信部９２と、判定結果表示部９３と、を備えている。
【００９１】
表示部９１は、例えば、液晶ディスプレイ等によって構成され、外部装置９の動作に関わる各種情報を表示する。
【００９２】
信号受信部９２は、例えば、１０／１００Ｂａｓｅ−ＴＸ等の通信ケーブルを用いて、有線通信を行うように構成されている通信インターフェイス回路である。信号受信部９２は、梱包箱２のアクセス部Ａ２を介して一端が通信ケーブル接続部７１に接続された通信ケーブルＣ２の他端に接続されている。信号受信部９２は、上記のステップＳ７において、通信インターフェイス部７０によって送信された状態判定部８６による判定結果を受信する。
【００９３】
判定結果表示部９３は、例えば、ＨＤＤ等に記憶された制御プログラムがＣＰＵによって実行されることによって、上記のステップＳ７において、通信インターフェイス部７０によって送信された状態判定部８６の判定結果が信号受信部９２によって受信されると、受信された状態判定部８６の判定結果に応じた情報を表示部９１に表示させる。
【００９４】
尚、表示部９１に表示させる状態判定部８６の判定結果に応じた情報とは、例えば、判定対象の負荷回路を識別する名称（例えば、「定着部」）と、当該負荷回路がコネクターに正常に接続されたか否かを示す符号（例えば、正常であれば０、正常でなければ１）とを対応付けた情報であり、状態判定部８６から出力される制御信号を識別する情報と対応付けてＲＯＭ等に予め記憶されている。判定結果表示部９３は、このＲＯＭ等に予め記憶されている情報を用いて、信号受信部９２によって受信された制御信号に対応する、状態判定部８６の判定結果を示す情報を表示部９１に表示させる。
【００９５】
上記実施形態の構成によれば、カラープリンター１を梱包箱２によって梱包した状態で、アクセス部Ａ１を介して電源ケーブルＣ１を電源ケーブル接続部８１に接続することができる。そして、電源ケーブルＣ１が電源ケーブル接続部８１に接続されることによって、電源電圧生成部８２によって電源電圧が生成され、コネクター８３ａ，８３ｂを介して負荷回路（定着部３０、温度センサー６０）に電源電圧が供給される。そして、状態判定部８６によって、電源電圧が供給されることによって動作するようになった負荷回路が正常か否かが判定される。そして、通信インターフェイス部７０によって、当該判定結果が梱包済画像形成装置３の外部に設けられた外部装置９に送信される。
【００９６】
このため、カラープリンター１を梱包した状態のまま、梱包済画像形成装置３の外部に設けられた外部装置９において、カラープリンター１内部の回路状態が正常か否かの確認を実施することができる。
【００９７】
また、上記実施形態の構成によれば、電源ケーブルＣ１が電源ケーブル接続部８１に接続されることによって、電源電圧生成部８２によって電源電圧が生成され、コネクター８３ａ，８３ｂを介して負荷回路（定着部３０、温度センサー６０）に電源電圧が供給される（ステップＳ２）。そして、電源電圧が供給されることによって負荷回路から電源電圧に応じた負荷電圧が出力されると、電圧検出部８５により負荷電圧が検出され（ステップＳ５）、状態判定部８６によって、当該検出された負荷電圧に基づいて、負荷回路がコネクター８３ａ，８３ｂに正常に接続されているか否かが判定される（ステップＳ６）。そして、通信インターフェイス部７０によって、当該判定結果が梱包済画像形成装置３の外部に設けられた外部装置９に送信される（ステップＳ７）。
【００９８】
このため、カラープリンター１を梱包した状態のまま、梱包済画像形成装置３の外部に設けられた外部装置９において、負荷回路（定着部３０、温度センサー６０）がコネクター８３ａ，８３ｂに正常に接続されているか否かを確認することができる。つまり、カラープリンター１の動作確認を行う前に、カラープリンター１を梱包した状態のまま、負荷回路がコネクター８３ａ，８３ｂに正常に接続されているか否かを事前に確認することができる。これによって、輸送中に負荷回路がコネクター８３ａ，８３ｂに正常に接続されなくなったときであっても、カラープリンター１の動作確認を行う際に、負荷回路をコネクター８３ａ，８３ｂに接続する作業を早急に実施することができ、動作確認の作業を効率よく実施することができる。
【００９９】
また、上記実施形態の構成によれば、ステップＳ４からステップＳ８を繰り返すことによって、カラープリンター１を梱包した状態のまま、カラープリンター１に備えられた複数の負荷回路（定着部３０、温度センサー６０）が各負荷回路に対応するコネクター８３ａ，８３ｂに正常に接続されているか否かの判定を、順次１つずつ判定することができる。
【０１００】
また、上記実施形態の構成によれば、スイッチ部８９によって受電端子Ｐ２ａとグランドとの間が通電しないように切り替えられた状態で（ステップＳ３）、定着部３０がコネクター８３ａに正常に接続されているか否かが判定される（ステップＳ６）。したがって、受電端子Ｐ２ａとグランドとを通電させて定着部３０の通電発熱体３１ａ（図３）に電流を流した状態で、定着部３０がコネクター８３ａに正常に接続されているか否かを判定する場合に比して、電流が流れることによって通電発熱体３１ａが発熱する虞を軽減することができ、より安全に定着部３０がコネクター８３ａに正常に接続されているか否かを判定することができる。
【０１０１】
また、上記実勢形態の構成によれば、カラープリンター１の動作確認を行う前に、カラープリンター１を梱包した状態のまま、温度センサー６０がコネクター８３ｂに正常に接続されているかを判定することができる。これによって、輸送中に温度センサー６０が正常にコネクター８３ｂに接続されなくなったときであっても、カラープリンター１の動作確認を行う際に、温度センサー６０をコネクター８３ｂに接続する作業を早急に実施することができ、動作確認の作業を効率よく実施することができる。
【０１０２】
また、上記実勢形態の構成によれば、カラープリンター１を梱包した状態のまま、梱包されているカラープリンター１内部の負荷回路（定着部３０、温度センサー６０）がコネクター８３ａ，８３ｂに正常に接続されているか否かの判定結果を、外部装置９の表示部９１に表示された判定結果に応じた情報によって容易に把握することができる。
【０１０３】
尚、上記実施形態において図１乃至図４に示した構成は単なる一例に過ぎず、本発明を当該実施形態に限定する趣旨ではない。
【０１０４】
例えば、状態判定部８６は、ステップＳ２（図４）の実行後、更に、ＲＡＭ８７（図３）に、例えば、予め定められたテキストデータ等の所定の照合用情報を書き込んだ後、ＲＡＭ８７から読み出した情報が書き込んだ照合用情報に一致するか否かによって、ＲＡＭ８７が正常であるか否かを判定するように構成してもよい。
【０１０５】
この構成によれば、カラープリンター１の動作確認を行う前に、カラープリンター１を梱包した状態のまま、ＲＡＭ８７が正常であるか否かを事前に確認することができる。これによって、輸送中にＲＡＭ８７が正常でなくなったときであっても、カラープリンター１の動作確認を行う際に、例えば、メモリースロット８８へのＲＡＭ８７の取り付けをやり直したり、別のＲＡＭ８７に交換する等のＲＡＭ８７を正常に動作させるための作業を早急に実施することができ、動作確認の作業を効率よく実施することができる。
【０１０６】
また、ＲＡＭ８７は、予め定められた連続する複数のアドレスによって識別される記憶領域を備えている。そこで、状態判定部８６は、ＲＡＭ８７における、予め定められた連続する複数のアドレスのうちの先頭のアドレスに対応する記憶領域に、例えば数値等の所定の照合用情報（第１の照合用情報）を書き込んだ後、当該先頭のアドレスに対応する記憶領域から情報を読み出し、読み出した情報が先に書き込んだ照合用情報に一致するか否かを判定するように構成してもよい。これに合わせて、同様に、状態判定部８６は、ＲＡＭ８７における終端のアドレスに対応する記憶領域にも、例えば数値等の所定の照合用情報（第２の照合用情報）を書き込んだ後、当該終端のアドレスに対応する記憶領域から情報を読み出し、読み出した情報が先に書き込んだ照合用情報に一致するか否かを判定するように構成してもよい。そして、状態判定部８６は、この２つの判定処理において、共に、記憶領域から読み出した情報が先に書き込んだ照合用情報に一致すると判定した場合に、ＲＡＭ８７が正常であると判定するように構成してもよい。
【０１０７】
この構成によれば、ＲＡＭ８７における２つの記憶領域に、それぞれ、書き込み及び読み出しの２回のアクセスを行うことによって、つまり、ＲＡＭ８７に４回アクセスすることによって、ＲＡＭ８７が正常であるか否かが判定される。このため、ＲＡＭ８７を構成する予め定められた連続する複数のアドレスに対応する記憶領域の全てに、所定の照合用情報をそれぞれ書き込んだ後、書き込んだ照合用情報に一致する情報をそれぞれ読み出せたか否かによって、ＲＡＭ８７が正常であるか否かを判定する場合に比して、ＲＡＭ８７にアクセスする回数が少ないため、ＲＡＭ８７が正常であるか否かをより早く判定することができる。
【０１０８】
また、上記の構成では、本発明に係る画像形成装置をカラープリンター１に適用する例について説明したが、これに限らず、例えば、コピー機、スキャナー装置、又はファクシミリ装置等に適用してもよい。
【０１０９】
また、スイッチ部８９（図３）を備えないように簡素化して構成し、これに合わせて、ステップＳ３（図４）を行わないように簡素化して構成してもよい。
【０１１０】
また、通信インターフェイス部７０及び信号受信部９２は、例えば、Ｗｉ−Ｆｉ（Wireless fidelity（登録商標））やBluetooth（登録商標）等の無線通信を行う通信インターフェイス回路として構成してもよい。これに合わせて、通信ケーブル接続部７１及びアクセス部Ａ２を備えないように簡素化して構成してもよい。
【０１１１】
また、制御部８０は、コネクターを１つだけ備えるように構成してもよい。これに合わせて、選択部８４を備えないように簡素化して構成し、ステップＳ４及びステップＳ８を行わないように構成してもよい。そして、電圧検出部８５は、ステップＳ５において、当該１つのコネクターの受電端子で受電される負荷電圧の電圧値を検出して、当該検出した電圧値を示す検出信号を状態判定部８６に出力するように構成してもよい。
【０１１２】
また、温度センサー６０とコネクター８３ｂとを備えないように簡素化して構成してもよい。
【符号の説明】
【０１１３】
１        ：カラープリンター（画像形成装置）
２        ：梱包箱
３        ：梱包済画像形成装置
４        ：被梱包装置診断システム
９        ：外部装置
２０      ：画像形成部
３０      ：定着部（負荷回路）
３１      ：ヒートローラー
３２      ：加圧ローラー
３３      ：コネクター
６０      ：温度センサー
６３      ：コネクター
７０      ：通信インターフェイス部
７１      ：通信ケーブル接続部
８０      ：制御部
８１      ：電源ケーブル接続部（電源接続部）
８２      ：電源電圧生成部
８３ａ    ：コネクター
８３ｂ    ：コネクター
８４      ：選択部
８５      ：電圧検出部
８６      ：状態判定部
８７      ：ＲＡＭ（メモリー）
８８      ：メモリースロット
８９      ：スイッチ部
９１      ：表示部
９２      ：信号受信部
９３      ：判定結果表示部
Ａ１      ：アクセス部
Ａ２      ：アクセス部
Ｃ１      ：電源ケーブル
Ｃ２      ：通信ケーブル
Ｅ        ：外部電源
Ｐ１ａ    ：給電端子
Ｐ１ｂ    ：給電端子
Ｐ２ａ    ：受電端子
Ｐ２ｂ    ：受電端子
【図１】
0005606503.tif 000002
【図２】
0005606503.tif 000003
【図３】
0005606503.tif 000004
【図４】
0005606503.tif 000005